(57)【要約】【課題】転送速度の低下やパケットロス等が起こりにくく、快適で利便性のある無線ＬＡＮシステムを提供する【解決手段】複数の端末１がアクセスポイント２を介して接続されている無線ＬＡＮシステムにおいて、各端末１及びアクセスポイント２はそれぞれ周波数変換装置３を有している。【選択図】        図１
2004266651.tif 000002
【特許請求の範囲】
【請求項１】
複数の端末がアクセスポイントを介して接続されている無線ＬＡＮシステムにおいて、各端末及びアクセスポイントはそれぞれ周波数変換装置を有していることを特徴とする無線ＬＡＮシステム。
【請求項２】
複数の端末がアクセスポイントを介して接続されている無線ＬＡＮシステムにおいて、中継装置として周波数変換装置を有していることを特徴とする無線ＬＡＮシステム。
【請求項３】
請求項１または２記載の周波数変換装置であって、周囲の電波環境状態をリアルタイムで計測し、計測結果に応じてある無線ＬＡＮ規格を選定することで、その周波数帯に応じた帯域で無線通信を行なうための種々の処理を行う機能を有することを特徴とする周波数変換装置。
【請求項４】
請求項１または２記載の周波数変換装置であって、データ信号だけある無線ＬＡＮ規格に対応した周波数帯に変換し、あるいはデータ信号及びＣＴＳ、ＲＴＳ、ＡＣＫを含むコントロール信号も変更する機能を有することを特徴とする周波数変換装置。
【請求項５】
請求項１または２記載の周波数変換装置であって、一度選定されたある無線ＬＡＮ規格での周波数帯をそのままデータ通信が終了するまで変更しないか、あるいは周囲のリアルタイムな電波環境に応じてデータ通信中でも変更するか選択する機能を有することを特徴とする周波数変換装置。
【請求項６】
請求項１または２記載の周波数変換装置であって、現存する無線ＬＡＮ規格内での周波数帯域に対して、かつ、これから規格化される無線ＬＡＮ規格の周波数帯域に対して適用可能であることを特徴とする周波数変換装置。
【発明の詳細な説明】
【０００１】
【発明の属する技術分野】
本発明は、複数の端末がアクセスポイントを介して接続されている無線ＬＡＮシステム及びそのシステムで使用される周波数変換装置に関するものである。
【０００２】
【従来の技術】
クロスパスイッチは設定されたチャネルの周波数変換部に送られ、各チャネルの周波数帯に変換し増幅器に送られるのであるが、その前にレベル検波器においてそのチャネルが送信状態であるかどうか検知し、送信状態であれば制御信号をスイッチに送り続けると、スイッチはＯＦＦの状態となりそのチャネルの受信を中止する。これにより電波の局内ループを解消することとなる（例えば、特許文献１参照）。
【０００３】
また、類似の技術として、コネクション確立時刻の古いものから順に新しいコネクションに置き換えていき、もはや使われないコネクションを効率的に再利用する特許文献２の「無線ＬＡＮシステム」が知られている。
【０００４】
【特許文献１】
特開２００１−１１１５７５号公報
【特許文献２】
特許第３３３３６５６号公報
【０００５】
【発明が解決しようとする課題】
現在、種々の無線ＬＡＮ規格があり、今後も増えていく傾向にある。それら無線ＬＡＮ規格は、同一の周波数帯域を使っているわけではなく、例えば、ある１つの無線ＬＡＮ規格に基づいた無線ＬＡＮシステム環境下では、チャンネル数の限界があり、その上限以上のチャンネル数を持つことはできなかった。また、無線ＬＡＮシステム環境下で複数の無線ＬＡＮ規格がある場合、ある無線ＬＡＮ規格だけ使用されているチャンネルが多く、別の無線ＬＡＮ規格では、使用されているチャンネルが少ない場合があるが、そのような無線ＬＡＮシステム環境は有効活用できなく、著しいスループットの減少につながる。また、無線ＬＡＮ規格以外でもその周波数帯が使用されている場合には、電波干渉によって、通信速度の低下やパケットロスが生じ、最悪の場合通信が不可能となってしまう。
【０００６】
本発明は、転送速度の低下やパケットロス等が起こりにくく、快適で利便性のある無線ＬＡＮシステム及びその無線ＬＡＮシステムに適用される周波数変換装置を提供することを目的とする。
【０００７】
【課題を解決するための手段】
上記目的を達成するために、請求項１記載の発明は、複数の端末がアクセスポイントを介して接続されている無線ＬＡＮシステムにおいて、各端末及びアクセスポイントはそれぞれ周波数変換装置を有している無線ＬＡＮシステムを最も主要な特徴とする。
【０００８】
請求項２記載の発明は、複数の端末がアクセスポイントを介して接続されている無線ＬＡＮシステムにおいて、中継装置として周波数変換装置を有している無線ＬＡＮシステムを最も主要な特徴とする。
【０００９】
請求項３記載の発明は、請求項１または２記載の周波数変換装置であって、周囲の電波環境状態をリアルタイムで計測し、計測結果に応じてある無線ＬＡＮ規格を選定することで、その周波数帯に応じた帯域で無線通信を行なうための種々の処理を行う機能を有する周波数変換装置を最も主要な特徴とする。
【００１０】
請求項４記載の発明は、請求項１または２記載の周波数変換装置であって、データ信号だけある無線ＬＡＮ規格に対応した周波数帯に変換し、あるいはデータ信号及びＣＴＳ、ＲＴＳ、ＡＣＫを含むコントロール信号も変更する機能を有する周波数変換装置を最も主要な特徴とする。
【００１１】
請求項５記載の発明は、請求項１または２記載の周波数変換装置であって、一度選定されたある無線ＬＡＮ規格での周波数帯をそのままデータ通信が終了するまで変更しないか、あるいは周囲のリアルタイムな電波環境に応じてデータ通信中でも変更するか選択する機能を有する周波数変換装置を最も主要な特徴とする。
【００１２】
請求項６記載の発明は、請求項１または２記載の周波数変換装置であって、現存する無線ＬＡＮ規格内での周波数帯域に対して、かつ、これから規格化される無線ＬＡＮ規格の周波数帯域に対して適用可能である周波数変換装置を最も主要な特徴とする。
【００１３】
【発明の実施の形態】
以下、図面により本発明の実施の形態を詳細に説明する。
図１は本発明の実施の形態に係る無線ＬＡＮシステムの構成図である。本無線ＬＡＮシステムでは、複数の端末（ノートパソコン）１（１−１〜１−５）がアクセスポイント２に接続され、かつ各端末１及びアクセスポイント２はそれぞれ周波数変換装置３（３−１〜３−６）と接続されている。
【００１４】
次に本無線ＬＡＮシステムの動作を説明する。例えば、端末１−１から送信されたデータがアクセスポイント２を経由して、端末１−３に入った場合のシーケンスは以下のとおりである。
【００１５】
（１）  端末１−１から８０２．１１ｂ準拠の周波数帯で無線通信する。
（２）  端末１−１から無線で送信されたデータは周波数変換装置３−１を経由する。
（３）  周波数変換装置３−１は、周囲の電波状況から使うべき無線ＬＡＮ規格の周波数帯を選定する。
（４）  選定された無線ＬＡＮ規格の周波数帯を用いて周波数変換装置３−１からアクセスポイント２にデータを送信する。
（５）  送信されたデータはアクセスポイント２を経由して、端末１−３に付随している周波数変換装置３−３で受信する。
（６）  その無線データの中に元の無線ＬＡＮ規格の情報が入っているので、周波数変換装置３−３はその無線ＬＡＮ規格の周波数帯に変換し、端末１−３に対してデータを送信する。
（７）  端末１−３は、８０２．１１ｂ準拠の無線通信でデータを受け取ることになる。端末１−３は、途中の中継で別の無線ＬＡＮ規格の周波数帯が使用されたことに全く気が付かない。
【００１６】
最終的に、上記シーケンスで構築された無線ＬＡＮシステムは、同一周波数帯を使うことによる電波干渉の問題の解決、すなわち電波干渉の低減、干渉低減効果によるデータ通信速度の向上、パケットロスの回避が可能になる。
【００１７】
特に、ＩＳＭ帯と呼ばれる２．４ＧＨｚは、無線ＬＡＮだけでなく、電子レンジ、Ｂｌｕｅｔｏｏｔｈ等、産業・医療分野の多岐に渡って使用される帯域のため、２．４ＧＨｚ帯以外を使用する無線ＬＡＮ規格の周波数帯への移行により、無線ＬＡＮシステム環境の改善を図ることができる。
【００１８】
また、周波数帯が異なると伝送距離や電波の直進性等が異なるため、その無線ＬＡＮシステム環境にとって、より最適で柔軟な環境が構築できる。なお、図１に示すように、各端末１にそれぞれ周波数変換装置３を接続する形態だけでなく、アクセスポイント２と端末１からなる無線ＬＡＮシステム環境下に、中継装置として周波数変換装置３が設置されるという形態も考えられる。
【００１９】
本発明の周波数変換装置は、周囲の電波環境状態をリアルタイムで計測し、計測結果に応じてある無線ＬＡＮ規格を選定することで、その周波数帯に応じた帯域で無線通信を行なうための種々の処理を行う機能を有する。
【００２０】
また本発明の周波数変換装置は、データ信号だけある無線ＬＡＮ規格に対応した周波数帯に変換し、あるいはデータ信号及びＣＴＳ、ＲＴＳ、ＡＣＫを含むコントロール信号も変更する機能を有する。
【００２１】
また本発明の周波数変換装置は、一度選定されたある無線ＬＡＮ規格での周波数帯をそのままデータ通信が終了するまで変更しないか、あるいは周囲のリアルタイムな電波環境に応じてデータ通信中でも変更するか選択する機能を有する。
【００２２】
また本発明の周波数変換装置は、現存する無線ＬＡＮ規格内での周波数帯域に対して、かつ、これから規格化される無線ＬＡＮ規格の周波数帯域に対して適用可能である。
【００２３】
【発明の効果】
以上、説明したように、請求項１、２記載の発明によれば、どのような無線ＬＡＮ環境下でも、ユーザーが意識することなく、別の無線ＬＡＮ規格が使用している周波数帯のチャンネルを使用できるため、転送速度の低下やパケットロス等が起こりにくく、快適で利便性のある無線ＬＡＮシステム環境を構築できる。また、周波数変換装置を外付けした場合、どのような無線ＬＡＮシステム環境化でも後付けで設置が可能であり、取り外しも容易になるので、パケットロスが多い、転送速度が遅いといった問題があった場合に、柔軟に、かつ迅速に快適な無線ＬＡＮシステム環境を構築できる。
【００２４】
請求項３記載の発明によれば、周波数変換装置は、全ての無線ＬＡＮ規格の周波数帯の電波状況を把握できる、かつ電波状況が良好な周波数帯を選定できる機能を有するので、より快適な無線ＬＡＮシステム環境を構築することができる。
【００２５】
請求項４記載の発明によれば、周波数変換装置は、データ信号を主に周波数変換の対象とするため、無線ＬＡＮシステム環境下のスループットが向上する。
【００２６】
請求項５記載の発明によれば、周波数変換装置は、ある無線ＬＡＮ規格の周波数帯でデータ通信を行なっている際にも、周囲の電波状況によって別の無線ＬＡＮ規格の周波数帯に変更することが可能なので、より快適な無線ＬＡＮシステム環境を構築することができる。
【００２７】
請求項６記載の発明によれば、周波数変換装置は、様々な無線ＬＡＮ規格に対応しているので、あらゆる無線ＬＡＮシステム環境下で高いスループットを維持しつつ、運用可能である。
【図面の簡単な説明】
【図１】本発明の実施の形態に係る無線ＬＡＮシステムの構成図である。
【符号の説明】
１  端末
２  アクセスポイント
３  周波数変換装置
【図１】
2004266651.tif 000003